(57)【特許請求の範囲】
【請求項１】
識別用アダプタのアダプタ用プラグが、電力供給装置の電源コンセントに電気接続される電力供給システムであって、
前記識別用アダプタは、
環境光を透過可能な透明樹脂製のケースと、
該ケースの所定面に設けられ、電気機器の電源プラグを挿入可能な差し込み口と、
前記ケースの所定面とは異なる面に設けられ、前記差し込み口を介して前記電気機器の電源プラグに電流を流し、他の電源コンセントに挿入可能なアダプタ用プラグ、及び、該アダプタ用プラグの近傍に設けられた識別用マークとを備え、
前記電力供給装置は、
複数個の電源コンセントを形成したハウジングと、
該ハウジングにて前記電源コンセント毎に設けられており、該電源コンセントの近傍に設けられ、前記透明樹脂製のケースを透過した環境光の光量の変化を利用して前記識別用マークを読み取る読取センサとを備えることを特徴とする電力供給システム。
【請求項２】
請求項１に記載の電力供給システムであって、
前記識別用マークは、１組の前記アダプタ用プラグの間に設けられていることを特徴とする電力供給システム。
【請求項３】
請求項１又は２に記載の電力供給システムであって、
前記読取センサは、１組の前記電源コンセントの間に設けられていることを特徴とする電力供給システム。
【請求項４】
請求項１から３のいずれか１項に記載の電力供給システムであって、
前記電力供給装置は、前記読取センサによる前記識別用マークの読み取り結果に基づいて前記電源コンセントに電気接続された前記識別用アダプタを特定する対応把握部とを備えることを特徴とする電力供給システム。
【請求項５】
請求項４に記載の電力供給システムであって、
前記電力供給装置は、前記電気機器の消費電力を測定する電力測定部をさらに備え、前記対応把握部は、前記電気機器で消費された消費電力の情報を取得することを特徴とする電力供給システム。
【請求項６】
請求項４又は５に記載の電力供給システムであって、
前記電力供給装置は、前記対応把握部の取得結果を無線信号で送信する無線通信部をさらに備えることを特徴とする電力供給システム。
【発明の詳細な説明】
【技術分野】
【０００１】
本発明は、識別用アダプタ、電力供給装置、及び電力供給システムに関し、詳細には、電気機器に電力を供給するための識別用アダプタ、電力供給装置、及び電力供給システムに関する。
【背景技術】
【０００２】
オフィスでは、例えばパーソナルコンピュータなどの電気機器が社員毎に与えられている。また、電気機器の待機時にも電力供給装置からの電力が供給されており、オフィスでは一般家庭よりも大量の電力を消費していると考えられる。
ここで、電力消費の節約を図るためには、電気機器の消費電力を測定して社員に認識させる手法が有効である。
【０００３】
一方、近年のオフィスでは、フリーアドレスと呼ばれる、社員が決まった座席を持たない居室の形態が採用されている。この場合、社員は電気機器を持って頻繁に移動可能であるため、電気機器の消費電力を測定するには、どの電気機器の電源プラグがどの電力供給装置の電源コンセントに差し込まれたのかを把握することが重要になる。
そこで、例えば、特許文献１には、電気機器の電源プラグに電流センサやＲＦＩＤタグを設けるとともに、この電源プラグに接続される電源コンセントを有した電力供給装置にリーダ／ライタを設け、どの電源プラグがどの電源コンセントに差し込まれたのかを検出する技術が提案されている。
【先行技術文献】
【特許文献】
【０００４】
【特許文献１】特開２００６−２４５９８３号公報
【発明の概要】
【発明が解決しようとする課題】
【０００５】
ところで、電力供給装置には複数個の電源コンセントを形成したものがあり、この場合、電力供給装置には、複数個の電源プラグが接近した状態で差し込まれる。このため、特許文献１のような電源プラグの識別にＲＦＩＤタグを用いると、近接型の同じ周波数帯を使うことから混信し、電源プラグと電源コンセントとの対応関係の把握が困難になるという問題がある。
【０００６】
本発明は、上述の如き実情に鑑みてなされたもので、複数個の電源コンセントを備えた場合であっても、電源プラグと電源コンセントとの対応関係を把握可能になる識別用アダプタ、電力供給装置、及び電力供給システムを提供することを目的とする。
【課題を解決するための手段】
【０００７】
上記課題を解決するために、本発明の第１の技術手段は、識別用アダプタのアダプタ用プラグが、電力供給装置の電源コンセントに電気接続される電力供給システムであって、前記識別用アダプタは、環境光を透過可能な透明樹脂製のケースと、該ケースの所定面に設けられ、電気機器の電源プラグを挿入可能な差し込み口と、前記ケースの所定面とは異なる面に設けられ、前記差し込み口を介して前記電気機器の電源プラグに電流を流し、他の電源コンセントに挿入可能なアダプタ用プラグ、及び、該アダプタ用プラグの近傍に設けられた識別用マークとを備え、前記電力供給装置は、複数個の電源コンセントを形成したハウジングと、該ハウジングにて前記電源コンセント毎に設けられており、該電源コンセントの近傍に設けられ、前記透明樹脂製のケースを透過した環境光の光量の変化を利用して前記識別用マークを読み取る読取センサとを備えることを特徴とするものである。
【０００８】
第２の技術手段は、第１の技術手段において、前記識別用マークは、１組の前記アダプタ用プラグの間に設けられていることを特徴とするものである。
【００１０】
第３の技術手段は、第１又は２の技術手段において、前記読取センサは、１組の前記電源コンセントの間に設けられていることを特徴とするものである。
【００１１】
第４の技術手段は、第１から３のいずれか１の技術手段において、前記電力供給装置は、前記読取センサによる前記識別用マークの読み取り結果に基づいて前記電源コンセントに電気接続された前記識別用アダプタを特定する対応把握部とを備えることを特徴とするものである。
【００１２】
第５の技術手段は、第４の技術手段において、前記電力供給装置は、前記電気機器の消費電力を測定する電力測定部をさらに備え、前記対応把握部は、前記電気機器で消費された消費電力の情報を取得することを特徴とするものである。
【００１３】
第６の技術手段は、第４又は５の技術手段において、前記電力供給装置は、前記対応把握部の取得結果を無線信号で送信する無線通信部をさらに備えることを特徴とするものである。
【発明の効果】
【００１４】
本発明によれば、識別用マークを用いて識別用アダプタを識別するため、識別用アダプタを電気機器の電源プラグに接続すれば、従来のような無線通信を利用することなく、電源プラグを識別可能になる。また、読取センサが識別用マークを読み取れば、電源プラグに電気接続された電源コンセントを特定可能になり、従来のような無線通信に伴う混信は発生しない。したがって、複数個の電源コンセントを有していても、識別用アダプタを介して電気機器の電源プラグと電力供給装置の電源コンセントとの対応関係を把握することができる。
【図面の簡単な説明】
【００１５】
【図１】本発明の識別用アダプタ及び電力供給装置の使用状態を説明する図である。
【図２】本発明の識別用アダプタ及び電力供給装置の構造を説明する図である。
【図３】本発明の識別用アダプタの側面図及び底面図である。
【図４】本発明の電力供給装置のブロック図である。
【図５】本発明の電力供給装置による電力測定を説明するフローチャートである。
【図６】本発明の識別用アダプタ及び電力供給装置の接続を説明する図である。
【発明を実施するための形態】
【００１６】
以下、図面を参照しながら本発明の電力供給システムについて説明する。図１は、本発明の識別用アダプタ及び電力供給装置の使用状態を説明する図であり、図２は、本発明の識別用アダプタ及び電力供給装置の構造を説明する図である。
図１，２において、１は電源タップ、１０はハウジング、１１，１２，１３は電源コンセント、１４は電力線、１５は電源プラグ、１６は無線アンテナ、４１，４２，４３は読取センサであり、５０は識別用アダプタ、５１はケース、５２は上面、５３は電源コンセント、５４は下面、５６，５７はアダプタ用プラグ、５８は識別用マークである。なお、７０は電気機器、７４は電力線、７５は電源プラグ、７６，７７は機器用プラグ、８０は電力管理装置、８６は無線アンテナである。
【００１７】
電源タップ１は直方体形状のハウジング１０を備えている。ハウジング１０の長手方向の端部分からは電力線１４が引き出されており、電力線１４の先端には、例えば、２極タイプの電源プラグ１５が設けられ、商用電源に接続されている。なお、電源タップ１が本発明の電力供給装置に相当する。
また、例えば、ハウジング１０は無線アンテナ１６を有しており、電源タップ１は、無線アンテナ１６及び無線アンテナ８６を介して、電力管理装置８０との間で信号を送受信可能に構成されている。
【００１８】
ハウジング１０には、例えば、計３個の電源コンセント１１，１２，１３が略等間隔で形成されている。なお、この電源コンセント１１，１２，１３が本発明の他の電源コンセントに相当する。
各電源コンセント１１，１２，１３は、例えば、２極タイプで構成され、１個の電源コンセントに対して２個で１組の長穴や電極を有している。この１組の長穴や電極はハウジング１０の長手方向に沿ってそれぞれ穿設され、識別用アダプタ５０のアダプタ用プラグ５６，５７、或いは電源プラグ７５の機器用プラグ７６，７７を挿入可能に構成されている。
【００１９】
各電源コンセント１１，１２，１３には、読取センサ４１，４２，４３が設置されている。読取センサ４１，４２，４３は、例えば、線状や面状に配列されたフォトダイオードなどの光電変換素子を有しており、読取センサは、受光面に結像した像の光の明暗に基づく電気信号に、所定の画像処理を施して像を読み取っている。なお、読取センサは、後述するマーク５８を検出することができるものであれば、どのような方式であっても構わない。例えば、バーコード、２次元バーコード、単純な白黒パターンを検出できるもの、或いはＣＣＤ等のイメージセンサであっても構わない。何種類かの数値、文字情報を区別できればよい。
【００２０】
読取センサ４１は電源コンセント１１に対応し、電源コンセントの近傍、例えば、電源コンセント１１の差し込み口を形成する１組の長穴の中間位置に設けられている。また、読取センサ４２は電源コンセント１２に対応しており、例えば、電源コンセント１２の差し込み口を形成する１組の長穴の中間位置に設けられ、さらに、読取センサ４３は電源コンセント１３に対応し、例えば、電源コンセント１３の差し込み口を形成する１組の長穴の中間位置に設けられている。
【００２１】
識別用アダプタ５０は直方体形状のケース５１を備えている。ケース５１は、３個の識別用アダプタ５０を総ての電源コンセント１１，１２，１３に差し込んでも互いに干渉しない大きさで形成されている。
ケース５１は、例えば、環境光を透過可能な透明樹脂で形成されている。なお、この透明樹脂は、光を透過するものであって、燃えにくく、電圧に耐えられる材料が選択される。
【００２２】
ケース５１は、電気機器７０の電源プラグ７５を挿入可能な電源コンセント５３を形成した上面５２と、アダプタ用プラグ５６，５７がそれぞれ突出した下面５４とを有する。電源コンセント５３は、例えば、２個で１組の長穴で形成された差し込み口を有し、機器用プラグ７６，７７をケース５１内に挿入可能に構成されている。また、電源コンセント５３は２極タイプのアダプタ用プラグ５６，５７を有しており、アダプタ用プラグ５６，５７の上端部分は、ケース５１内にて機器用プラグ７６，７７に電気接続可能に形成されている。
【００２３】
図３は、本発明の識別用アダプタの側面図及び底面図であり、図３（Ａ）に示すように、アダプタ用プラグ５６，５７の下端部分は、ケース５１から突出し、１個の電源コンセントに電気接続可能に構成されている。
ここで、図３（Ｂ）に示すように、識別用アダプタ５０の下面５４には、この識別用アダプタ５０を、いずれかの読取センサで識別するための識別用マーク５８が設置されている。
【００２４】
マーク５８は、読取センサの配置面積と略同等の面積で形成され、アダプタ用プラグ５６，５７の近傍、例えば、下面５４のうちアダプタ用プラグ５６，５７の中間位置、つまり、識別用アダプタ５０が１個の電源コンセントに差し込まれた際、読取センサに向かい合う位置に貼付されている。これにより、電気機器の電源プラグと識別用アダプタ５０との接続関係が分かれば、この識別用アダプタ５０のマーク５８が電気機器の電源プラグを特定する役割を担い、このマーク５８を読み取る読取センサが識別用アダプタ５０に差し込まれた電源コンセントを特定する役割を担う。
【００２５】
識別用マーク５８は識別用アダプタ５０毎に異なる内容で構成されており、図３に示したマーク５８には、例えば、アルファベット大文字の「Ｍ」が示されている。
なお、マークは読取センサに向かい合う限り、下面５４のいずれかに設けられていてもよく、さらに、マークには上下位置を示す模様等があってもよい。また、マークは、文字、図形、記号、若しくはこれらの結合、又はバーコードの他、黒色及び透明色を組み合わせたパターン、或いは黒色及び白色を組み合わせたパターン等であってもよい。
【００２６】
このように、コンセント周囲の環境光が識別用マーク５８を背後から照らしており、読取センサは、ケース５１を透過した環境光の光量の変化を利用してマーク５８を読み取っている。
また、識別用アダプタ５０が電源タップの電源コンセントに差し込まれていない場合、読取センサはコンセント周囲の照度を検出することができ、この検出結果は、例えば、マーク５８を読み取り可能な明るさであるかなど、読取センサで読み取る際の判断基準に利用でき、識別用アダプタ５０及び電源プラグの識別精度の向上に寄与する。
【００２７】
図４は、本発明の電力供給装置のブロック図であり、ハウジング１０内の構造を説明する図である。
ハウジング１０内では、電源コンセント１１，１２，１３の電極が電流計３１，３２，３３にそれぞれ電気接続されている。電流計３１は、商用電源に接続された電源プラグ１５から電力線１４及びコンセント１１を介して電気機器に供給された電力を測定することができる。また、電流計３２は電源プラグ１５から電力線１４及びコンセント１２を介して電気機器に供給された電力を、電流計３３は電源プラグ１５から電力線１４及びコンセント１３を介して電気機器に供給された電力をそれぞれ測定することができる。なお、電流計３１，３２，３３が本発明の電力測定部に相当する。
【００２８】
電流計３１，３２，３３はインターフェース部３１ａ，３２ａ，３３ａを経由して内部バス２３に接続される。また、各電源コンセント１１，１２，１３に設置された読取センサ４１，４２，４３は、インターフェース部４１ａ，４２ａ，４３ａを経由して内部バス２３に接続されている。
この内部バス２３には、ＣＰＵ（Central Processing Unit）２０、ＲＯＭ（Read Only Memory）２１、ＲＡＭ（Random Access Memory）２２も接続されており、ＣＰＵ２０は、ＲＯＭ２１に記憶されているプログラムをＲＡＭ２２に読み出して実行し、後述の電力測定処理を実行させる。
【００２９】
さらに、内部バス２３には、対応把握部２４や無線通信部２５も接続されている。対応把握部２４は、読取センサ４１，４２，４３による識別用アダプタのマークの読み取り結果に基づき、電源コンセント１１，１２，１３に電気接続された識別用アダプタを特定する。そして、電気機器の電源プラグと識別用アダプタ５０との接続関係の情報と併せると、対応把握部２４は、どの電気機器の電源プラグが３個のコンセント１１，１２，１３のいずれに差し込まれているかという情報を取得し、さらに、この電気機器で消費された消費電力の情報も電流計３１，３２，３３から取得している。
【００３０】
対応把握部２４の取得結果は無線通信部２５に出力され、無線通信部２５は、無線アンテナ１６を介して電気機器の消費電力等の情報を図１の電力管理装置８０に送信する。
このように、電気機器の消費電力の情報をユーザに提供できれば、節電を促せる他、定格電源容量を超えない使用を促すことも可能になる。また、無線を用いて電力管理装置に送信すれば、対応把握部２４の取得結果を外部に送信するための配線の引き回し範囲が少なくて済む。
【００３１】
図５は、本発明の電力供給装置による電力測定を説明するフローチャートである。
対応把握部２４は、ステップＳ１０１にてコンセント番号Ｎを０に設定し、ステップＳ１０２にてイベントがあるか否かを判別する。
無線通信部２５が、イベントの一例として、消費電力の測定を開始する旨などを電力管理装置８０等から受け付け（ステップＳ１０２のＹＥＳ）、対応把握部２４がその指示内容を取得すると（ステップＳ１０３）、ステップＳ１０４に進む。
【００３２】
対応把握部２４は、前回のコンセント番号Ｎに１を加えて新たなコンセント番号Ｎを設定する（ステップＳ１０４）。この新たなコンセント番号Ｎが今回の測定対象の電源コンセントを示している。
続いて、ステップＳ１０５にて、対応把握部２４は、ステップＳ１０４の新たなコンセント番号Ｎが電源タップのコンセントの数を超えたか否かを判別し、コンセントの数を超えていない場合（ステップＳ１０５のＮＯ）、直ちにステップＳ１０７に進む。
【００３３】
一方、対応把握部２４は、新たなコンセント番号Ｎがコンセントの数を超えていた場合（ステップＳ１０５のＹＥＳ）、ステップＳ１０６に進み、新たなコンセント番号Ｎを１に設定してからステップＳ１０７に進む。
ステップＳ１０７では、対応把握部２４は、上記新たなコンセント番号Ｎの設定によって特定され、今回測定される電源コンセントの読取センサが識別用アダプタのマークを読み取りできるか否かを判別する。
【００３４】
今回の測定対象に位置した読取センサが識別用マークを読み取れた場合にはステップＳ１０８に進み、対応把握部２４はマークの文字等を取得し、ステップＳ１１０に進む。これに対し、この読取センサがマークを読み取れなかった場合にはステップＳ１０９に進む。この場合には、対応把握部２４は、マーク未検出と判定し、マークの文字「？」を取得してからステップＳ１１０に進む。
ステップＳ１１０では、今回の測定対象に位置した電流計が電気機器の消費電力を測定し、次に、ステップＳ１１１では、今回の測定対象に位置した読取センサがコンセント周辺の照度を測定する。この電気機器の消費電力や、コンセント周辺の照度の測定結果は対応把握部２４に出力される。
【００３５】
対応把握部２４は、識別用アダプタのマークの文字の他、取得した測定結果を無線通信部２５に出力し、無線通信部２５が電力管理装置８０に送信し（ステップＳ１１２）、ステップＳ１０２に戻る。
その後、無線通信部２５が、イベントの一例として、今回のコンセント番号に対応した電源コンセントの情報を取得した旨を電力管理装置８０から受け付け（ステップＳ１０２のＹＥＳ）、対応把握部２４がその連絡内容を取得すると（ステップＳ１０３）、ステップＳ１０４に進む。そして、対応把握部２４は、次のコンセント番号に対応した電源コンセントの情報を取得する。
【００３６】
図６は、本発明の識別用アダプタ及び電力供給装置及び電源プラグの接続を説明する図である。電気機器を持った社員が居室の任意の席に座り、図６（Ａ）に示すように、その電気機器の電源プラグ７５を識別用アダプタ５０に差し込む。
次いで、図６（Ｂ）に示すように、この社員が識別用アダプタ５０を電源タップ１の例えば電源コンセント１１に差し込むと、商用電源からの電力が電源コンセント１１を介してこの社員の電気機器に供給されるとともに、この識別用アダプタ５０のマーク５８が電源コンセント１の読取センサ４１に向き合う。
【００３７】
なお、識別用アダプタ５０を電源コンセント１１に予め差し込んでおき、その後、電源プラグ７５をこの識別用アダプタ５０に差し込んでもよく、この場合にも、識別用アダプタ５０のマーク５８は電源コンセント１１の読取センサ４１に向き合う。
さらに、識別用アダプタ５０が電源コンセント１１に差し込まれていた状態において、図６（Ｃ）に示すように、別の電気機器の電源プラグ７５’と別の識別用アダプタ５０’とが電気接続され、この識別用アダプタ５０’が電源コンセント１２に差し込まれると、商用電源からの電力が電源コンセント１２を介して当該別の電気機器にも供給可能になる。同時に、識別用アダプタ５０’のマーク５８’が電源コンセント１２の読取センサ４２に向き合う。
【００３８】
なお、上記図５で説明したコンセント番号Ｎについては、コンセント番号Ｎ＝１が電源タップ１の電源コンセント１１に、コンセント番号Ｎ＝２が電源コンセント１２に、コンセント番号Ｎ＝３が電源コンセント１３にそれぞれ対応した場合を想定し、以下の電力測定処理を説明する。
まず、対応把握部２４は、例えば、消費電力の測定を開始する旨のイベントを無線通信部２５から得て、ステップＳ１０１のコンセント番号Ｎ（＝０）を用いて新たなコンセント番号Ｎ（＝１）を設定し、測定対象を電源コンセント１１に設定する（ステップＳ１０４）。
【００３９】
この新たなコンセント番号Ｎ（＝１）は電源タップ１のコンセントの数（＝３）を超えていないため（ステップＳ１０５のＮＯ）、直ちにステップＳ１０７に進む。
今回測定される電源コンセント１１の読取センサ４１が識別用アダプタ５０の識別用マーク５８を読み取れた場合にはステップＳ１０８に進み、対応把握部２４がマーク５８の文字「Ｍ」を取得し、ステップＳ１１０に進む。
【００４０】
電流計３１は電源コンセント１１に電気接続された電気機器の消費電力Ｐ１１を測定し（ステップＳ１１０）、読取センサ４１がマーク５８に遮られたやや暗い照度Ｌ１１を測定する（ステップＳ１１１）。この電気機器の消費電力Ｐ１１や照度Ｌ１１の測定結果は対応把握部２４に出力される。
これにより、無線通信部２５は、読取センサ４１によって特定される電源コンセント１１、識別用マーク５８の文字「Ｍ」に加え、このマーク５８によって特定される電源プラグ７５を有した電気機器の消費電力Ｐ１１や、照度Ｌ１１を電力管理装置に送信する（ステップＳ１１２）。
【００４１】
続いて、対応把握部２４は、例えば、電源コンセント１１の情報を取得した旨のイベントを無線通信部２５から得て、前回のコンセント番号Ｎ（＝１）を用いて新たなコンセント番号Ｎ（＝２）を設定し（ステップＳ１０４）、測定対象を電源コンセント１２に設定する。なお、新たなコンセント番号Ｎ（＝２）が電源タップ１のコンセントの数（＝３）を未だ超えていないので（ステップＳ１０５のＮＯ）、直ちにステップＳ１０７に進む。
【００４２】
ここで、今回測定される電源コンセント１２の読取センサ４２が識別用アダプタ５０’の識別用マーク５８’を読み取れた場合にはステップＳ１０８に進み、次いで、対応把握部２４がマーク５８’として例えば文字を結合した「０１」（図示省略）を取得し、ステップＳ１１０に進む。
電流計３２は電源コンセント１２に電気接続された別の電気機器の消費電力Ｐ１２を測定し（ステップＳ１１０）、読取センサ４２がマーク５８’に遮られたやや暗い照度Ｌ１２を測定する（ステップＳ１１１）。
【００４３】
仮に、この電源コンセント１２に電気接続された別の電気機器の主電源スイッチがオフであった場合、消費電力Ｐ１２は０になる。よって、この場合の無線通信部２５は、読取センサ４２によって特定される電源コンセント１２、識別用マーク５８’の上記「０１」に加え、このマーク５８’によって特定される電源プラグ７５’を有した別の電気機器の消費電力Ｐ１２（＝０）や、照度Ｌ１２を電力管理装置に送信する（ステップＳ１１２）。
【００４４】
このように、識別用アダプタ５０，５０’を電源プラグ７５，７５’及び電源コンセント１１，１２の双方に電気接続した際、対応把握部２４は、識別用マーク５８，５８’によって遮光される光量の変化に基づき、電源プラグ７５，７５’に電気接続された電源コンセント１１，１２をそれぞれ特定しており、従来のような電源プラグの識別に利用される無線通信に伴う混信は発生しない。したがって、電源プラグ７５，７５’と識別用アダプタ５０，５０’との接続関係の情報と総合すれば、複数個の電源コンセント１１，１２，１３を有していても、電気機器の電源プラグと電源タップの電源コンセントとの対応関係を把握することができる。
【００４５】
その後、対応把握部２４は、例えば、この電源コンセント１２の情報を取得した旨のイベントを無線通信部２５から得て、前回のコンセント番号Ｎ（＝２）を用いて新たなコンセント番号Ｎ（＝３）を設定し、測定対象を電源コンセント１３に設定する（ステップＳ１０４）。なお、この新たなコンセント番号Ｎ（＝３）も電源タップ１のコンセントの数（＝３）を未だ超えていないため（ステップＳ１０５のＮＯ）、直ちにステップＳ１０７に進む。
【００４６】
ただし、図６（Ｃ）に示すように、電源コンセント１３には識別用アダプタが差し込まれていない。よって、読取センサ４３は識別用マークを読み取れず（ステップＳ１０７のＮＯ）、対応把握部２４はマークの文字「？」を取得する（ステップＳ１０９）。
また、電流計３３が電源コンセント１３に関する消費電力Ｐ１３を、読取センサ４３が、電源コンセント１３の周囲に相当し、読取センサ４１，４２の検出値よりも明るい照度Ｌ１３をそれぞれ測定する（ステップＳ１１０，ステップＳ１１１）。
【００４７】
この結果、無線通信部２５は、読取センサ４３によって特定される電源コンセント１３、マークの文字「？」、消費電力Ｐ１３（＝０）や、照度Ｌ１３を電力管理装置に送信する（ステップＳ１１２）。
続いて、対応把握部２４は、例えば、この電源コンセント１３の情報を取得した旨のイベントを無線通信部２５から得て、前回のコンセント番号Ｎ（＝３）を用いて新たなコンセント番号Ｎ（＝４）を設定する（ステップＳ１０４）。
【００４８】
この場合のステップＳ１０５では、新たなコンセント番号Ｎ（＝４）が電源タップ１のコンセントの数（＝３）を超えている（ステップＳ１０５のＹＥＳ）。そこで、対応把握部２４は、ステップＳ１０６に進んで新たなコンセント番号Ｎ＝１に設定し、測定対象を電源コンセント１１に設定する。
この結果、対応把握部２４は電源コンセント１１の情報を再び取得することができ、以後、電源コンセント１２，１３の順に、さらに、電源コンセント１１，１２，１３の順に情報の取得を繰り返すと、電源プラグと電源コンセントとの対応関係を常に把握することできる。
【００４９】
なお、識別用アダプタが電源プラグ及び電源コンセントの双方に電気接続されていても、電源タップを配置した居室が消灯していた状態では、読取センサは、識別用アダプタのマークを読み取ることができない。したがって、この場合の対応把握部はマークの文字「？」を取得しつつ、電流計はその電気機器の消費電力を、読取センサは例えば明るさ０の照度をそれぞれ測定することになる。ただし、識別用アダプタと電源コンセントとの電気接続が居室の点灯時にも継続していた場合には、その段階でマークを読み取り可能である。
【００５０】
上記実施例では、電源タップに具現化した例で説明している。しかし、本発明の電力供給装置は、複数個の電源コンセントを備える限り、居室の壁面に埋設された壁コンセントにも当然に適用することができる。
また、本発明の電力供給装置は、電気機器の消費電力をハウジング外部の電流計で測定してもよく、さらに、対応把握部の取得結果を有線で電力管理装置に送信してもよい。
【００５１】
そして、これらいずれの場合にも上記と同様に、複数個の電源コンセントを備えた場合であっても、電源プラグと電源コンセントとの対応関係を把握可能になる。
【符号の説明】
【００５２】
１…電源タップ、１０…ハウジング、１１，１２，１３…電源コンセント、１４…電力線、１５…電源プラグ、１６…無線アンテナ、２０…ＣＰＵ、２１…ＲＯＭ、２２…ＲＡＭ、２３…内部バス、２４…対応把握部、２５…無線通信部、３１，３２，３３…電流計、３１ａ，３２ａ，３３ａ…インターフェース部、４１，４２，４３…読取センサ、４１ａ，４２ａ，４３ａ…インターフェース部、５０，５０’…識別用アダプタ、５１…ケース、５２…上面、５３…電源コンセント、５４…下面、５６，５７…アダプタ用プラグ、５８，５８’…識別用マーク、７０…電気機器、７４…電力線、７５，７５’…電源プラグ、７６，７７…機器用プラグ、８０…電力管理装置、８６…無線アンテナ。
【図１】
0005537576.tif 000002
【図２】
0005537576.tif 000003
【図３】
0005537576.tif 000004
【図４】
0005537576.tif 000005
【図５】
0005537576.tif 000006
【図６】
0005537576.tif 000007